(57)【要約】【課題】包装資材の削減を図りながら製品の未使用／使用状態を容易に区別できる生産性に優れた記録媒体のマルチパッケージ及びその包装方法を提供する。【解決手段】複数の未使用の記録媒体製品（テープカセット１１）の背面に、個々の製品間にわたって連続的に未使用表示ラベル３０を剥離可能に貼着する。未使用表示ラベル３０は、隣接する製品の境界上で分断可能になっている。これにより、製品ごとの個装フィルムが不要となるので包装工程を簡素化でき、また開封時のゴミ量を低減できる。一方、未使用表示ラベル３０の断片の有無によって製品の未使用／使用状態の区別手段が確保される。【選択図】        図２
2004231205.tif 000002
【特許請求の範囲】
【請求項１】
複数の未使用の記録媒体製品が共通の包装材で一括的に包装された記録媒体のマルチパッケージにおいて、
前記複数の記録媒体製品の少なくとも一側面上に、前記個々の記録媒体製品間にわたって連続的にラベル部材が剥離可能に貼着され、
隣接する前記記録媒体製品の境界上で前記ラベル部材が分断可能になっている
ことを特徴とする記録媒体のマルチパッケージ。
【請求項２】
前記ラベル部材の上には、その分断位置を跨ぐように「未使用」を意味する表示が施されている
ことを特徴とする請求項１に記載の記録媒体のマルチパッケージ。
【請求項３】
前記ラベル部材の分断位置には、ミシン目が施されている
ことを特徴とする請求項１に記載の記録媒体のマルチパッケージ。
【請求項４】
前記ラベル部材の分断位置における分断開始点が、略三角形状の切欠き部の頂点位置に設けられている
ことを特徴とする請求項１に記載の記録媒体のマルチパッケージ。
【請求項５】
前記ラベル部材の分断位置における分断終了点が、略三角形状の切欠き部の頂点位置に設けられており、
前記分断開始点を形成する切欠き部が、前記分断終了点を形成する切欠き部よりも切欠き量が大きい
ことを特徴とする請求項４に記載の記録媒体のマルチパッケージ。
【請求項６】
前記記録媒体製品が磁気テープを収納したテープカセットであって、前記ラベル部材が前記テープカセットの誤消去防止爪上に貼着されている
ことを特徴とする請求項１に記載の記録媒体のマルチパッケージ。
【請求項７】
前記ラベル部材の一部の領域には、前記記録媒体製品に貼着されない非接着部が設けられている
ことを特徴とする請求項１に記載の記録媒体のマルチパッケージ。
【請求項８】
複数の未使用の記録媒体製品を共通の包装材で一括的に包装する記録媒体の包装方法において、
前記包装材で前記複数の記録媒体製品を一括包装する工程の前に、
前記各記録媒体製品のそれぞれ同一の側面部に対し、共通のラベル部材を貼り付けて前記各記録媒体製品を連結する工程を有する
ことを特徴とする記録媒体の包装方法。
【発明の詳細な説明】
【０００１】
【発明の属する技術分野】
本発明は、記録媒体のマルチパッケージ及びその包装方法に関し、更に詳しくは、包装資材の削減と製品の未使用／使用状態の区別とを両立できる記録媒体のマルチパッケージ及びその包装方法に関する。
【０００２】
【従来の技術】
従来、例えば図７に示すように、ビデオテープカセットやオーディオテープカセット等の未使用の記録媒体製品のマルチパッケージ１００においては、収納ケース１０３に収納されたテープカセット１０２を個装フィルム１１１で包装した単品パッケージ１０１を、複数巻（例えば１０巻）まとめて包装フィルム１１２で一括的に包装する形態が多く採用されている（例えば下記特許文献１の図９参照）。
【０００３】
【特許文献１】
実開平６−１４０９４号公報
【０００４】
【発明が解決しようとする課題】
ところが、ユーザーにとってはマルチパッケージ１００及び単品パッケージ１０１それぞれに対して開封作業を必要とするのでその作業が煩わしく、また、開封に伴って包装フィルム１１１，１１２の廃棄量が嵩み、ゴミ量の増加にもつながっている。一方、メーカーにとっては包装工程及び包装資材の増加によるコスト増は避けられない。
【０００５】
また、その一方で、個装フィルム１１１が開封されていなければ未使用状態にあることが容易に判別できるので、個装フィルム１１１は当該テープカセットの未使用／使用状態を区別する手段にもなる。
【０００６】
したがって、包装の簡素化及びゴミ量の削減を目的として個装フィルム１１１を廃止し、包装フィルム１１２のみでマルチパッケージを構成するとなると、この包装フィルム１１２を開封した後は個々のテープカセットが使用中であるのか未使用であるのかを容易に区別できなくなり、ユーザーにとって利便性が損なわれるという問題がある。また、販売店側にとっても、マルチパック包装で販売されたテープに関してユーザーからの苦情を受け付けるとき、個装フィルムがないとそのテープが未使用なのか、また、そのテープが正規に組み込まれたものなのかどうか容易に判断することができないという不都合な面があった。
【０００７】
なお、上記特許文献１には、図８に示すように、収納ケース１２２とテープカセット１２１との間を「未使用」の文字が付された封印シール１２３にて剥離可能に接合し、包装フィルムを開封した後でも封印シール１２３で収納ケース１２２とテープカセット１２１とが接合されていれば当該テープカセット１２１が未使用であることを認識できるようにした構成が記載されている。しかしながら、このような構成では、個々のテープカセットに対して上記構成の封印シール１２３をそれぞれ貼着する必要があるので生産性の向上は望めなくなる。
【０００８】
本発明は上述の問題に鑑みてなされ、包装資材の削減を図りながらも製品の未使用／使用状態を容易に区別できる生産性に優れた記録媒体のマルチパッケージ及びその包装方法を提供することを課題とする。
【０００９】
【課題を解決するための手段】
以上の課題を解決するにあたり、本発明の記録媒体のマルチパッケージは、複数の未使用の記録媒体製品の少なくとも一側面上に、個々の記録媒体製品間にわたって連続的にラベル部材が剥離可能に貼着され、隣接する記録媒体製品の境界上で当該ラベル部材が分断可能になっている。
【００１０】
この構成により、ラベル部材によって一体化された記録媒体製品は、ラベル部材を分断して個々の記録媒体製品に分離される。分離された記録媒体製品にはラベル部材の断片が付着しているので、使用の際そのラベル部材の断片を剥がすようにすれば、当該ラベル部材の有無を基準に記録媒体製品の未使用／使用状態を区別できる。
【００１１】
また、本発明の記録媒体の包装方法は、包装材で複数の記録媒体製品を一括包装する工程の前に、各記録媒体製品のそれぞれ同一の側面部に対し、共通のラベル部材を貼り付けて各記録媒体製品を連結する工程を有することを特徴とする。
【００１２】
これにより、ラベル部材は複数の記録媒体製品のそれぞれ同一の側面部（例えば背面部）に共通に貼着されるので、ラベル部材の貼付作業自体は非常に容易である。したがって、個装フィルムを必要とすることなく個々の記録媒体製品のバージン性を維持することができ、また、包装の簡素化により生産性の向上も図ることができる。
【００１３】
【発明の実施の形態】
以下、本発明の実施の形態について図面を参照して説明する。
【００１４】
図１〜図５は本発明の実施の形態を示している。ここで、図１はマルチパッケージの包装状態の一例を示す斜視図、図２はその包装前の状態を示す斜視図、図３は図２の要部拡大図、図４は本発明に係るラベル部材の構成を示す図、図５はその作用を示す斜視図である。
【００１５】
本実施の形態のマルチパッケージ１０は、記録媒体製品として、未使用の例えばＶＨＳ型式のビデオテープカセット（以下「テープカセット」という。）１１の１０巻包装体で構成されている（図１，図２）。
【００１６】
テープカセット１１は公知の構成を有し、記録媒体として磁気テープを巻装した一対のテープリールがカセットシェル内に回転可能に収容されてなるもので、未使用の状態でブック型の収納ケース１２に収納されている。各テープカセット１１はそれぞれ同じ姿勢に整列された状態で共通の包装フィルム２１で包装されている。
【００１７】
包装フィルム２１は、テープカセット１１を多巻まとめて一括的に包装するために畳み込まれるもので、例えばポリプロピレンフィルム等の樹脂材料で構成され、熱融着によってシールされる。なお、図示せずとも包装フィルム２１には、商品外観としての各種デザインや商品説明などの印刷が施されている。
【００１８】
さて、包装フィルム２１で包装される前の状態における各テープカセット１１の背面１１ａには、図２及び図３に示すように、連続した１本の未使用表示ラベル３０が各テープカセット１１を連結するように貼着されている。
【００１９】
未使用表示ラベル３０は、本発明に係る「ラベル部材」に対応し、主としてテープカセット１１の未使用／使用状態を区別するために付加されたものである。未使用表示ラベル３０は、各テープカセット１１の背面１１ａに対して剥離可能な粘着層を有し、また、隣接するテープカセット１１の境界上で分断可能になっている。
【００２０】
図４Ａ〜Ｃは未使用表示ラベル３０の詳細を示す図で、Ａは平面図、Ｂは側面図、Ｃは裏面図である。
【００２１】
未使用表示ラベル３０は、紙等からなる基材３１と、例えばアクリル系接着剤からなる粘着層３２とで構成されており、非使用時、粘着層３２は保護シート３３で被覆されている（図４Ｂ）。
【００２２】
未使用表示ラベル３０には、隣接するテープカセット１１の境界に対応する位置にミシン目３４が施されており、テープカセット１１を個々に分離する際に当該未使用表示ラベル３０を容易に分断できるようにしている。そして、未使用表示ラベル３０の基材３１には、ミシン目３４を跨ぐように「未使用」の文字からなる表示３６が施されている。
【００２３】
未使用表示ラベル３０の長手方向側縁部には、そのミシン目３４の形成位置において互いに対向する第１切欠き部４１及び第２切欠き部４２が形成されている。これら第１切欠き部４１及び第２切欠き部４２はともに略三角形状で、その頂点位置がミシン目３４の分断開始点及び分断終了点に対応している。また、第１切欠き部４１は第２切欠き部４２よりも切欠き量が大きく形成されている。
【００２４】
上述のように、未使用表示ラベル３０は、整列状態で配列されたテープカセット１１のそれぞれの背面１１ａ側に貼着されている。特に本実施の形態では、未使用表示ラベル３０は、テープカセット１１の背面１１ａの一方の側端側に形成された誤消去防止爪１１ｂの上に貼着されている。
【００２５】
ビデオテープカセット１１において誤消去防止爪１１ｂはビデオテープへの重ね録りを防止するために用いられ、ユーザーにとって大切な情報が記録されているテープカセットでは使用後にカセット本体から除去されることによって情報の誤消去を防ぐ機能を有している。したがって、分離・単品化されたテープカセット１１にあっては、使用後、その誤消去防止爪１１ｂを除去する際、同時にその上に貼着されている未使用表示ラベル３０の断片３０Ａも除去される結果、当該テープカセット１１が使用済であることを容易に視認できるようになる。
【００２６】
一方、例えばテレビの連続番組を録画する等の目的で用いられるビデオテープカセット１１にあっては、一度の録画操作のみで誤消去防止爪１１ｂを除去するようなことはなされないのが通常である。したがって、このような場合には、誤消去防止爪１１ｂの上に貼着されている未使用表示ラベル３０の断片３０Ａをテープカセット１１から剥がすようにすれば、未だラベル３０が残存しているテープカセット１１と区別することが可能となり、それが使用中であることを容易に認識することができるようになる。
【００２７】
そこで本実施の形態においては、未使用表示ラベル３０の一部の領域に、テープカセット１１に貼着されない非接着部３５を設け、これを摘み部として用いることにより、テープカセット１１からの未使用表示ラベル３０の剥離を容易にしている。
【００２８】
非接着部３５は、基材３１上の接着層３２が形成されない領域で構成されている。非接着部３５は、未使用表示ラベル３０の長手方向側部であって、第１切欠き部４１の形成領域を含むように設けられている。
【００２９】
次に、以上のように構成される本実施の形態の作用について説明する。
【００３０】
図２に示すように、収納ケース１２に収納した未使用のテープカセット１１を複数巻（本例では１０巻）同じ姿勢で整列配置した状態で、収納ケース１２から露出する各テープカセット１１の背面１１ａの誤消去防止爪１１ｂ上に一本の未使用表示ラベル３０を貼着する。未使用表示ラベル３０の長さは、テープカセット１１の厚さ方向の配列長と略等しく形成されている。
【００３１】
続いて、未使用表示ラベル３０で互いに連結された複数巻のテープカセット１１を、共通の包装フィルム２１によって図１に示すように一括包装し、テープカセット１１のマルチパッケージ１０を構成する。
【００３２】
このように、テープカセット１１のマルチパッケージ１０の製造が、未使用表示ラベル３０の貼着工程と、包装フィルム２１による包装工程だけであるので、各カセット毎に個装フィルムを施していた従来の包装方法に比べて包装資材を削減できるとともに、包装工程を簡素化できる。また、各テープカセット１１に共通のラベル３０を貼着するだけでよいので、個々のカセットに対する封印シールの貼着に比べてはるかに効率良くラベルの貼着工程を遂行することができる。
【００３３】
以上のことから、製造コストを大幅に低減でき生産性に優れたテープカセット１１の包装方法を実現することができる。
【００３４】
一方、上記構成のマルチパッケージ１０を購入したユーザーにとっては、マルチパッケージ１０の開封が必要な包装材が包装フィルム２１だけであるので開封作業が容易であると同時に、開封に伴って発生するゴミ量を低減できるという利点がある。
【００３５】
未使用表示ラベル３０によって連結された複数巻のテープカセット１１は、右端あるいは左端に位置するものから順に分離・単品化して使用に供される。テープカセット１１の分離操作は、図５に示すように、分離しようとするテープカセット１１Ａとこれに隣接するテープカセット１１Ｂとの境界位置に形成されたミシン目３４に沿って、未使用表示ラベル３０を分断することによって行われる。
【００３６】
この未使用表示ラベル３０の分断操作の際、当該ミシン目３４の分断終了点に位置する第２切欠き部４２ｂを略中心としてテープカセット１１Ａをテープカセット１１Ｂに対して回動させれば、第１切欠き部４２ａを起点としてミシン目３４を容易に分断することができる（図５）。
【００３７】
第２切欠き部４２は、テープカセット１１の分離の際、未使用表示ラベル３０にねじれを発生させることなく分断させる働きを有している。また、テープカセット１１の分離の際、第１切欠き部４１はミシン目３４に亀裂を発生させ易くするためのものであり、この切欠き形状（切欠き量）が大きいほど容易にミシン目３４に亀裂を生じさせ易くなる。したがって本実施の形態によれば、テープカセット１１の分離を容易に行うことができると同時に、未使用表示ラベル３０を適正に分断することができる。
【００３８】
テープカセット１１の分断に伴って、ミシン目３４を跨ぐように施された「未使用」の表示３６も分断される。その結果、分離した単品のテープカセット１１にあっては未使用表示機能が失われるものの、これから使用に供されるものであるので使用後の誤消去防止爪１１ｂの除去あるいは未使用表示ラベル３０の断片３０Ａの剥離により、当該テープカセット１１が使用済みあるいは使用中であることを認識することができる。一方、未使用表示ラベル３０で連結されている残りのテープカセット１１は、当該ラベルの未使用表示３６によってこれらのテープカセット１１が未使用であることが視認できる。
【００３９】
なお、テープカセット１１のマルチパックが残り２巻の場合、各々を分離すると未使用表示３６は分断され、何れが未使用状態であるのか区別がつかなくなるように見受けられるが、この場合は、使用されたテープカセットでは後に未使用表示ラベル３０の断片３０Ａが剥離されるので、この未使用表示ラベル３０の断片３０Ａが付着しているテープカセット１１の方が未使用であると容易に認識できる。
【００４０】
以上のように、従来のマルチパッケージでは個装フィルムを剥がしてしまうとそのテープカセットが未使用状態であるのか使用済みであるのか即座に判断することができず、当該個装フィルムの有無でテープカセットの未使用／使用状態を判断する材料となっていたのに対し、本実施の形態によれば、未使用表示ラベル３０が貼着されているかいないかで容易にテープカセットの使用／未使用状態を判断することができる。そして、録画終了後は未使用表示ラベル３０の断片３０Ａを剥がせば未使用の表示が無くなるので、そのテープカセットが使用中または使用済みであるという情報を得ることができる。
【００４１】
したがって、本実施の形態によれば、個装フィルムを必要とすることなく個々のテープカセットの未使用／使用状態を容易に判断することができるとともに、包装資材の削減によるゴミ量の低下を図ることができる。また、マルチパッケージ１０の生産工程においても個装フィルム包装工程を省略できるので、包装資材の削減による生産コストの低減を図ることができ、未使用表示ラベル３０の貼着も簡単であるので優れた生産性を得ることができる。
【００４２】
以上、本発明の実施の形態について説明したが、勿論、本発明はこれに限定されることなく、本発明の技術的思想に基づいて種々の変形が可能である。
【００４３】
例えば以上の実施の形態では、記録媒体製品としてＶＨＳ形式のビデオテープカセットを例に挙げて説明したが、勿論これだけに限られず、オーディオカセットやＶ８カセット、ＤＶ又はＤＶＭカセット等のテープ状記録媒体製品、光ディスクや磁気ディスクあるいは光磁気ディスク等のディスク状記録媒体製品にも本発明は適用可能である。
【００４４】
例えば図６は、ディスク状記録媒体製品のマルチパッケージの一態様を示している。ディスク状記録媒体製品としてはディスク状記録媒体５１を収容したディスクカートリッジ５２が対応し、ジュエリーケースと称される透明な合成樹脂製のハードケース５３に収納されている。これをマルチパックする際には、図のように複数積み重ね、上述した構成の未使用表示ラベル３０を各々のハードケース５３に共通に貼り付け、最後に包装フィルム５４で一括包装する。なお、未使用表示ラベル３０の貼着位置は特に限定されないが、各製品を連結できる位置に貼着される必要がある。
【００４５】
また、以上の実施の形態では、未使用表示ラベル３０の貼着位置として、テープカセット１１の背面１１ａの誤消去防止爪１１ｂ上としたが、勿論これに限られない。また、未使用表示ラベル３０は１本だけに限らず２本以上同一の側面又は異なる側面に貼着するようにしてもよい。
【００４６】
更に、未使用表示ラベル３０の表面に施される表示３６は「未使用」の文字に限らず、例えば「ＮＥＷ」や「ＵＮＵＳＥＤ」など「未使用」を意味する表示であれば何れのものも適用可能である。
【００４７】
【発明の効果】
以上述べたように、本発明の記録媒体のマルチパッケージによれば、複数の未使用の記録媒体製品の少なくとも一側面上に、個々の記録媒体製品間にわたって連続的にラベル部材が剥離可能に貼着され、隣接する記録媒体製品の境界上で当該ラベル部材が分断可能になっているので、個装フィルムを必要とすることなくラベル部材の断片の有無で当該記録媒体製品の未使用／使用状態を区別することができる。
【００４８】
また、本発明の記録媒体の包装方法によれば、包装材で複数の記録媒体製品を一括包装する工程の前に、各記録媒体製品のそれぞれ同一の側面部に対し、共通のラベル部材を貼り付けて各記録媒体製品を連結する工程を有しているので、個装フィルムを必要とすることなく個々の記録媒体製品のバージン性を維持することができ、また、包装の簡素化による生産性の向上を図ることができる。
【図面の簡単な説明】
【図１】本発明の実施の形態による記録媒体製品のマルチパッケージ１０を示す斜視図である。
【図２】マルチパッケージ１０の包装前の状態を示す斜視図である。
【図３】図２における要部の拡大図である。
【図４】本発明に係る未使用表示ラベル３０の構成を説明する図であり、Ａは平面図、Ｂは側面図、Ｃは裏面図である。
【図５】未使用表示ラベル３０の作用を説明する要部の斜視図である。
【図６】他の実施形態としてディスク状記録媒体製品のマルチパッケージへの適用例を示す斜視図である。
【図７】従来の記録媒体製品のマルチパッケージの一包装形態を示す斜視図である。
【図８】未使用表示機能を付した従来のテープカセットの包装構造を示す斜視図である。
【符号の説明】
１０…マルチパッケージ、１１…テープカセット、１１ａ…背面、１１ｂ…誤消去防止爪、１２…収納ケース、２１…包装フィルム、３０…未使用表示ラベル、３０Ａ…断片、３２…粘着層、３４…ミシン目、３５…非接着部、３６…未使用表示、４１…第１切欠き部、４２…第２切欠き部、５２…ディスクカートリッジ、５３…ハードケース、５４…包装フィルム。
【図１】
2004231205.tif 000003
【図２】
2004231205.tif 000004
【図３】
2004231205.tif 000005
【図４】
2004231205.tif 000006
【図５】
2004231205.tif 000007
【図６】
2004231205.tif 000008
【図７】
2004231205.tif 000009
【図８】
2004231205.tif 000010